(57)【特許請求の範囲】
【請求項１】
底部に孔部を設けた接続端子を載置して挿入するためのリアホルダをハウジングの後部に嵌合し、前記リアホルダと前記ハウジングとは前記リアホルダを中間まで挿入した第１の係止位置と、前記リアホルダを十分に押し込んだ第２の係止位置とでそれぞれ係合するコネクタにおいて、前記リアホルダは、前記第１の係止位置において傾斜状態で挿入された前記接続端子を水平状態で載置するための端子載置部と、載置した前記接続端子の孔部に嵌入するための前記端子載置部上に形成した係止突起と、前記接続端子を後方に引くことにより前記孔部の縁部に係止して前記接続端子の傾斜状態への戻りと後方への抜け出しを防止するために前記係止突起に形成した前方を向く爪部とを有することを特徴とするコネクタ。
【請求項２】
前記リアホルダには、前記接続端子の縮径した部分を係止する係止部を設けた請求項１に記載のコネクタ。
【発明の詳細な説明】
【０００１】
【産業上の利用分野】
本発明は、例えば自動車等の電気配線に使用され、接続端子を収納するコネクタに関するものである。
【０００２】
【従来の技術】
一般に、コネクタ内には接続端子を係止するための可撓性を有する係止ランスが使用されているが、この係止ランスは金型が複雑となる上に、必ずしも強度的に十分ではなかった。そこで、本出願人は既に図１１〜図１３に示すような係止ランスを使用しないコネクタを出願している。
【０００３】
このコネクタはハウジング１に対して、リアホルダ２を中間まで挿入した第１の係止位置と、十分に押し込んだ第２の係止位置で係合される。ハウジング１の端子収容室３の後方上壁３ａは後方へ向けて高くされ、後部に電線４を固定した接続端子５が端子収容室３に容易に挿入されるようになっている。そして、リアホルダ２の端子保持板６には、接続端子５の端子接続部５ａの前端部を係止する前方係止部７と、接続端子５ａの後端部を係止する後方係止部８とが形成されている。
【０００４】
リアホルダ２が図１１に示す第１の係止位置にあるときに、接続端子５はハウジング１に傾斜状態で挿入され、更に図１２に示すようにハウジング１内で水平状態にされる。これにより、端子接続部５ａの下部がリアホルダ２の前方係止部７と後方係止部８の間に位置し、接続端子５の前後動が防止される。そして、リアホルダ２をハウジング１に対して十分に押し込むとリアホルダ２は図１３に示すように第２の係止位置になり、端子接続部５ａの前方部が端子収容室３の前方上壁３ｂと端子保持板６の間に圧入され、接続端子５の上下動が防止される。
【０００５】
【発明が解決しようとする課題】
しかしながら上述した従来例は、係止ランスを使用することなく接続端子５を係止できる利点を有するが、端子収容室３の後方上壁３ａの高さが後方へ向かって高くなっているため、多数の接続端子５が図１２に示すような水平状態に揃っているときに、１本の電線４が上方へ押圧された場合には、その接続端子５の後部が上方へ移動し、端子接続部５ａの後端部と後方係止部８の係止状態が外れ、その接続端子５がハウジング１から抜け出してしまうという問題点がある
【０００６】
本発明の目的は、上述した問題点を解消し、リアホルダの第１の係止位置において接続端子の後方への抜け出しを確実に防止したコネクタを提供することにある。
【０００７】
【課題を解決するための手段】
上記目的を達成するための本発明に係るコネクタは、底部に孔部を設けた接続端子を載置して挿入するためのリアホルダをハウジングの後部に嵌合し、前記リアホルダと前記ハウジングとは前記リアホルダを中間まで挿入した第１の係止位置と、前記リアホルダを十分に押し込んだ第２の係止位置とでそれぞれ係合するコネクタにおいて、前記リアホルダは、前記第１の係止位置において傾斜状態で挿入された前記接続端子を水平状態で載置するための端子載置部と、載置した前記接続端子の孔部に嵌入するための前記端子載置部上に形成した係止突起と、前記接続端子を後方に引くことにより前記孔部の縁部に係止して前記接続端子の傾斜状態への戻りと後方への抜け出しを防止するために前記係止突起に形成した前方を向く爪部とを有することを特徴とする。
【０００８】
【作用】
上述の構成を有するコネクタでは、リアホルダをハウジングに対して中間まで挿入した第１の係止位置において接続端子をハウジングとリアホルダに傾斜状態で挿入し、水平状態にした後にリアホルダを第２の係止位置に押し込む。リアホルダの第１の係止位置において、傾斜状態で挿入した接続端子を水平状態にして後方へ引くと、爪部が孔部に嵌入した後に接続端子が爪部により係止され、爪部は接続端子の傾斜状態への戻りと後方への抜け出しを防止する。
【０００９】
【実施例】
本発明を図１〜図１０に図示の実施例に基づいて詳細に説明する。
図１は実施例の垂直断面図であり、ハウジング１１の後部にリアホルダ１２が嵌合され、電線１３付きの接続端子１４がハウジング１１の最終的な位置に収容された状態を示している。また、図２はハウジング１１とリアホルダ１２を分解した状態を示す水平断面図、図３はハウジング１１の一部を示す右側面図、そして図４はリアホルダ１２の一部を示す右側面図である。
【００１０】
図５は接続端子１４の一部を切欠した斜視図であり、この接続端子１４は導電金属板により形成され、図示しない相手側端子を接続する角筒状の端子接続部２１と、後方へ向かって左右方向に縮径する連結部２２と、電線１３の芯線を圧着する芯線圧着部２３と、電線１３の被覆を圧着する被覆圧着部２４とが前方から順次に設けられている。また、接続端子１４の底板２１ａには、内方へ突出して天板２１ｂ側の可動接触片２５との間に相手側端子を受け入れる接触部２６と、リアホルダ１２の後述する爪部を嵌入させる爪部嵌入孔２７とが設けられている。
【００１１】
ハウジング１１は電気絶縁性の合成樹脂材料により形成され、ハウジング１１の前方部には、隔壁３１により上下が仕切られリアホルダ１２の前方部を収容する前方収容室３２が設けられ、ハウジング１１の後方部には、リアホルダ１２の後方部を収容する後方収容室３３が形成されている。前方収容室３２は後方へ向かって段階的に拡径する上下外壁１１ａ、１１ｂと段階のない左右外壁１１ｃとにより囲まれ、後方収容室３３は上下外壁１１ｂよりも拡径された上下外壁１１ｄと、左右外壁１１ｃよりも拡径された左右外壁１１ｅとにより囲まれている。ハウジング１１の前端部には前方外壁１１ｆが設けられる一方、ハウジング１１の後端部は開口とされ、前方外壁１１ｆには相手側接続端子の端子部を挿通する端子挿通口３４が穿設されている。そして、左右外壁１１ｅにはリアホルダ１２の後述する案内突起を案内するための案内窓３５と、リアホルダ１２を係合するための内方へ向くホルダ係止部３６が突設されている。
【００１２】
ここで、上下外壁１１ａの高さはリアホルダ１２の前端部を揺動しないように収容する大きさとされ、上下外壁１１ｂ、１１ｄの高さは接続端子１４をハウジング１１とリアホルダ１２に傾斜状態で容易に挿入できる大きさとされている。また、上下外壁１１ａ、１１ｂからはそれぞれの接続端子１４をハウジング１１及びリアホルダ１２内に個々に導く端子案内板３７が突設されている。これらの端子案内板３７は、リアホルダ１２に形成された後述する前方規制突起の間に嵌合する厚さとされ、接続端子１４の端子接続部２１に当接する水平面３７ａと、傾斜状態の端子接続部２１に当接する傾斜面３７ｂとが設けられている。
【００１３】
一方、図６の部分拡大斜視図に示すように、リアホルダ１２は多数の接続端子１４を並列に載置する端子保持板４１を備え、この端子保持板４１はハウジング１１の左右外壁１１ｃの間に進入する幅を有すると共に、端子保持板４１にはハウジング１１の隔壁３１が嵌入するスリット４２が設けられている。端子保持板４１の後端部の両側には、ハウジング１１の左右外壁１１ｅの内側を進退する側板４３が形成され、これらの側板４３にはハウジングの案内窓３５に案内される案内突起４３ａが外方へ向けて設けられている。
【００１４】
また、端子保持板４１の後部の上下面は、接続端子１４の被覆圧着部２４を保持する一段と低い後方保持部４１ａとされると共に、端子保持板４１の上下面には接続端子１４同士を仕切る仕切壁４４が設けられている。仕切壁４４の前端部には、左右両側に位置して接続端子１４の前端部の上下動を防止する前方規制突起４５、４６が設けられている。これらの前方規制突起４５、４６同士の間隔は、ハウジング１１の端子案内板３７が嵌合する大きさとされ、前方規制突起４５、４６の後端部には傾斜面４５ａ、４６ａ（４６ａは図示せず）がそれぞれ形成され、前端部には下方へ突出して接続端子１４の前端部を係止する突起４５ｂ、４６ｂがそれぞれ形成されている。
【００１５】
更に、仕切壁４４の間の端子保持板４１には、接続端子１４の爪部嵌入孔２７に嵌入して接続端子１４の後方向への抜け出しと傾斜状態への戻りを防止する係止突起４７が設けられている。係止突起４７の後部には接続端子１４の爪部嵌入孔２７に容易に嵌入し得るように傾斜面４７ａが設けられ、前部には水平状態の接続端子１４が後方へ引かれた際に接続端子１４の底板２１ａの上面を係止する爪部４７ｂが突設されている。係止突起４７の後方には、接続端子１４の連結部２２に左右方向の両側から当接してその左右動を防止する後方規制突起４８、４９が設けられている。そして、これらの後方規制突起４８、４９の内面側には、接続端子１４が後方へ移動した際に連結部２２を容易に受け入れる傾斜面４８ａ、４９ａがそれぞれ形成されている。
【００１６】
これらのハウジング１１とリアホルダ１２とは、図７に示すようにリアホルダ１２がハウジング１１に対して中間まで挿入された第１の係止位置と、図８に示すようにリアホルダ１２がハウジング１１に対して十分に押し込まれた第２の係合位置とで係合される。第１及び第２の係合位置では、リアホルダ１２の端子保持板４１がハウジング１１の前方収容室３２に挿入され、ハウジング１１の隔壁３１がリアホルダ１２のスリット４２に嵌合される。また、側板４３が後方収容室３３に挿入され、リアホルダ１２の案内突起４３ａはハウジング１１の案内窓３５に嵌入される。このとき、ハウジング１１の端子案内板３７はリアホルダ１２の前方規制突起４５、４６の間に嵌合する。そして、第１の係合位置ではリアホルダ１２の後端面はハウジング１１の後端面にほぼ一致した位置にあり、第２の係合位置ではハウジング１１に設けられたホルダ係止部３６がリアホルダ１２の後端面を係止する。
【００１７】
図９に示すように、電線１３付きの接続端子１４は、リアホルダ１２が第１の係止位置にあるときにハウジング１１とリアホルダ１２内に傾斜状態で挿入される。接続端子１４が挿入される際には、端子接続部２１の底板２１ａ側が係止突起４７の上面に接触し、天板２１ｂ側がハウジング１１の端子案内板３７の水平面３７ａと傾斜面３７ｂの境界近傍に接触しながら前進し、端子接続部２１の前端部が突起４５ｂ、４６ｂに当接する。
【００１８】
この状態から図１０に示すように接続端子１４を端子保持板４１側へ押圧して水平状態にすると、つまり従来で云えば接続端子を図１１の状態から図１２の状態に移行すると、被覆圧着部２４の底面が後方保持部４１ａの表面に当接し、同時に接続端子１４の爪部嵌入孔２７に係止突起４７が嵌入する。この状態で電線１３を後方へ引くと、爪部嵌入孔２７の前部の底板２１ａが爪部４７ｂの下部に嵌合し、接続端子１４が傾斜状態に戻ることと後方へ抜け出すことが防止される。同時に、接続端子１４の連結部２２が、傾斜面４８ａ、４９ａにそれぞれ案内されながら後方規制突起４８、４９の間に進入し、接続端子１４の左右方向の移動が防止される。
【００１９】
次に、リアホルダ１２を上述したような第１の係止位置から前方へ向けて押し込むと、図１に示すように第２の係止位置になり、リアホルダ１２はハウジング１１にホルダ係止部３６により第２の係止位置で係止され、コネクタは使用状態となる。このとき、リアホルダ１２の前端部が前方外壁１１ｆに当接すると共に、接続端子１４の端子接続部２１が端子案内板３７の水平面３７ａと端子保持板４１の間に保持される。
【００２０】
この実施例では、リアホルダ１２の第１の係止位置において接続端子１４はリアホルダ１２の係止突起４７により傾斜状態に戻ることが防止されるため、接続端子１４の後方への抜け出しを確実に防止することができ、リアホルダ１２の第１の係止位置における配線作業の能率を向上させることができる。また、接続端子１４の端子接続部２１の揺動を端子案内板３７、端子保持板４１、両側の仕切壁４４により防止できる上に、接続端子１４の連結部２２の左右動を後方規制突起４８、４９により防止でき、接続端子１４の電気的接触を確保することができる。更に、係止突起４７をリアホルダ１２に設けたため、ハウジング１１やリアホルダ１２の構造が簡素になり、成形用の金型のコストを削減できる。
【００２１】
【発明の効果】
以上説明したように本発明に係るコネクタは、リアホルダの接続端子載置部には水平状態にした後に後方へ引いた際に、接続端子の傾斜状態への戻りと後方への抜け出しを防止する爪部を設けたので、リアホルダの第１の係止位置において接続端子が傾斜状態に戻ることを防止でき、接続端子が後方へ抜け出すことを確実に防止できる。従って、リアホルダの第１の係止位置における配線作業の能率を向上させることができる。
【図面の簡単な説明】
【図１】リアホルダをハウジングに十分に押し込んだ状態の実施例の垂直断面図である。
【図２】ハウジングとリアホルダを分解した状態の水平断面図である。
【図３】ハウジングの一部の右側面図である。
【図４】リアホルダの一部の右側面図である。
【図５】接続端子の一部を切欠した斜視図である。
【図６】リアホルダの部分拡大斜視図である。
【図７】リアホルダをハウジングに中間まで挿入した状態の水平断面図である。
【図８】リアホルダをハウジングに十分に押し込んだ状態の水平断面図である。
【図９】接続端子をリアホルダに挿入する状態の垂直断面図である。
【図１０】接続端子を水平にした状態の垂直断面図である。
【図１１】従来例の垂直断面図である。
【図１２】従来例の垂直断面図である。
【図１３】従来例の垂直断面図である。
【符号の説明】
１１  ハウジング
１２  リアホルダ
１４  接続端子
２１  端子接続部
２２  連結部
２７  爪部嵌入孔
３７  端子案内板
４１  端子保持板
４７  係止突起
４７ｂ  爪部
４８、４９  後方規制突起
【図１】
0003730685.tif 000002
【図２】
0003730685.tif 000003
【図３】
0003730685.tif 000004
【図４】
0003730685.tif 000005
【図５】
0003730685.tif 000006
【図６】
0003730685.tif 000007
【図７】
0003730685.tif 000008
【図８】
0003730685.tif 000009
【図９】
0003730685.tif 000010
【図１０】
0003730685.tif 000011
【図１１】
0003730685.tif 000012
【図１２】
0003730685.tif 000013
【図１３】
0003730685.tif 000014